(57)【特許請求の範囲】
【請求項１】
枠体に設けられた透明板の後方に配置されて該透明板と対向する遊技板の板面に形成されたガイドレールによって区画形成され、発射された遊技球が流下する遊技領域に、
遊技球が入賞する入賞口と、
前記入賞口の上方に配設され、遊技球を前記入賞口に入賞し易い方向に誘導したり前記入賞口に入賞し難い方向に誘導したりする誘導手段を設けたステージと、
を有しており、
前記ステージは、前記遊技板の板面からみて遊技球１個分以上２個分未満後方位置までのスペースに配置されており、かつ、上段ステージと下段ステージの２層構造に形成されており、
前記下段ステージは、その前方端部が前記遊技板の板面と面一又は板面より後方となるように形成されており、転がり込んだ遊技球を転動させる下段転動面を備え、遊技球を前記下段転動面の後方から前記下段転動面の下側を通って前記入賞口に入賞し易い前方の誘導出口に誘導する下段後方誘導手段と、遊技球を前記下段転動面の前方から前記入賞口に入賞し難い方向に誘導する下段前方誘導手段を備えており、
前記上段ステージは、前記下段ステージより上方位置で、かつ、前記下段ステージに平面視で重なる位置に形成されており、転がり込んだ遊技球を転動させる上段転動面を備え、遊技球を前記上段転動面の後方から前記下段後方誘導手段を通って前記入賞口に入賞し易い前方の前記誘導出口に誘導する上段後方誘導手段と、遊技球を前記上段転動面から前方に落下させる上段前方誘導手段を備えており、
前記上段ステージと前記下段ステージの上下方向の間には、平面視で前記下段ステージの前方端部と前記透明板の間で、かつ、前記上段ステージよりも前方に配置されており、前記上段ステージの前記上段前方誘導手段から前方に落下した遊技球を受け止めて前記下段ステージの前記下段転動面へ誘導するステージ間連絡部材を有していることを特徴とする弾球遊技機。
【発明の詳細な説明】
【技術分野】
【０００１】
本発明は弾球遊技機に関し、特に、遊技球が転動するステージを有する弾球遊技機に関するものである。
【背景技術】
【０００２】
従来、パチンコ遊技機等の弾球遊技機においては、その遊技盤の遊技領域に入賞口が配設されており、その上方に、遊技球を転動させると共に遊技球を入賞口に入賞し易い方向に誘導したり入賞口に入賞し難い方向に誘導したりする誘導手段を設けたステージが配設されているものがある。また、弾球遊技機の中には、前記したステージが上段ステージと下段ステージの２層のステージを有しており、上段ステージに誘導された遊技球が転動して、その少なくとも一部が下段ステージに誘導されるようになっているものもある（例えば、特許文献１参照）。
【先行技術文献】
【特許文献】
【０００３】
【特許文献１】特開２００３−９３６３０号公報
【発明の概要】
【発明が解決しようとする課題】
【０００４】
ここで、前記した特許文献１に記載した遊技機のように、上段ステージと下段ステージを配設する箇所における遊技機の前後方向の奥側のスペースに余裕がある場合には、上段ステージと下段ステージの前後方向における配設レイアウトや、上段ステージ自体、下段ステージ自体の前後方向の幅を広く取ることができる。その結果、例えば、上段ステージと下段ステージが所謂階段状に形成され、奥側に形成された上段ステージ上で転動した遊技球がその前方から転がり落ち、手前側の下方に階段状に形成された下段ステージにその遊技球が受け止められて、その下段ステージでも転動する、というように、遊技球のステージにおける転動を楽しめるステージレイアウトを構成することができる。
【０００５】
しかしながら、ステージを配設する箇所における遊技機の前後方向の奥側に大型の可動役物が配設されている等の種々の理由で、ステージにおける遊技機の前後方向の幅を広く形成することが不可能な遊技機もあり、そのような遊技機では、ステージの前後方向の幅（奥行）が遊技球１個程度（１個以上２個未満）しか取れない場合もある。このようにステージの前後方向の幅が遊技球１個程度しかない場合に、ステージを上段ステージと下段ステージの２層構造にしようとしても、遊技球を上段ステージから下段ステージに誘導する構造として前後方向の配置位置をずらして上段ステージと下段ステージを階段状に配置するような構造を形成することができず、結果的に２層構造のステージを採用することができない場合があった。
【０００６】
本発明は、このような事情に鑑みてなされたものであり、ステージ自体及びステージ構成における前後方向の幅を狭く形成せざるを得ない場合でも、上段ステージと下段ステージの２層構造のステージを形成することができ、しかも、上段ステージ上及び上段ステージから下段ステージに誘導される際の遊技球の動きを単調でなく複雑で興趣のある動きにさせることができる弾球遊技機を提供することを目的とする。
【課題を解決するための手段】
【０００７】
かかる課題を解決するために、本発明の請求項１に記載の発明は、枠体に設けられた透明板の後方に配置されて該透明板と対向する遊技板の板面に形成されたガイドレールによって区画形成され、発射された遊技球が流下する遊技領域に、遊技球が入賞する入賞口と、前記入賞口の上方に配設され、遊技球を前記入賞口に入賞し易い方向に誘導したり前記入賞口に入賞し難い方向に誘導したりする誘導手段を設けたステージと、を有しており、前記ステージは、前記遊技板の板面からみて遊技球１個分以上２個分未満後方位置までのスペースに配置されており、かつ、上段ステージと下段ステージの２層構造に形成されており、前記下段ステージは、その前方端部が前記遊技板の板面と面一又は板面より後方となるように形成されており、転がり込んだ遊技球を転動させる下段転動面を備え、遊技球を前記下段転動面の後方から前記下段転動面の下側を通って前記入賞口に入賞し易い前方の誘導出口に誘導する下段後方誘導手段と、遊技球を前記下段転動面の前方から前記入賞口に入賞し難い方向に誘導する下段前方誘導手段を備えており、前記上段ステージは、前記下段ステージより上方位置で、かつ、前記下段ステージに平面視で重なる位置に形成されており、転がり込んだ遊技球を転動させる上段転動面を備え、遊技球を前記上段転動面の後方から前記下段後方誘導手段を通って前記入賞口に入賞し易い前方の前記誘導出口に誘導する上段後方誘導手段と、遊技球を前記上段転動面から前方に落下させる上段前方誘導手段を備えており、前記上段ステージと前記下段ステージの上下方向の間には、平面視で前記下段ステージの前方端部と前記透明板の間で、かつ、前記上段ステージよりも前方に配置されており、前記上段ステージの前記上段前方誘導手段から前方に落下した遊技球を受け止めて前記下段ステージの前記下段転動面へ誘導するステージ間連絡部材を有している弾球遊技機としたことを特徴とする。
【０００８】
請求項１に係る発明によれば、ステージが、遊技板の板面からみて遊技球１個分以上２個分未満後方位置までのスペースに配置され、上段と下段の２層構造に形成されており、上段ステージが下段ステージに平面視で重なる位置に形成されており、上段ステージと下段ステージの間には、平面視で下段ステージの前方端部と透明板の間で、かつ、上段ステージよりも前方に配置され、上段ステージから前方に落下した遊技球を受け止めて下段ステージへ誘導するステージ間連絡部材を有していることで、ステージ自体及びステージ構成における前後方向の幅を狭く形成せざるを得ない場合でも、上段ステージと下段ステージの２層構造のステージを形成することができ、しかも、上段ステージ上及び上段ステージから下段ステージに誘導される際の遊技球の動きを単調でなく複雑で興趣のある動きにさせることができる。また、ステージ間連絡部材が上段ステージ及び下段ステージよりも前方に配置されている構造であるため、ステージ間連絡部材を容易に設置することができる。
【図面の簡単な説明】
【０００９】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機のステージの斜視図である。
【図５】同パチンコ遊技機のステージの正面図である。
【図６】同パチンコ遊技機のステージの平面図である。
【図７】同パチンコ遊技機のステージの右側面図である。
【図８】図５のＡ−Ａ断面図である。
【図９】同パチンコ遊技機のステージから上段ステージとステージ間連絡部材を取り外した状態の斜視図である。
【図１０】同パチンコ遊技機のステージから上段ステージとステージ間連絡部材を取り外した状態の正面図である。
【図１１】同パチンコ遊技機のステージから上段ステージとステージ間連絡部材を取り外した状態の平面図である。
【図１２】同パチンコ遊技機のステージから上段ステージとステージ間連絡部材を取り外した状態の右側面図である。
【図１３】図１０のＢ−Ｂ断面図である。
【発明を実施するための形態】
【００１０】
以下、本発明の実施の形態における弾球遊技機について図面を参照しながら説明する。なお、本発明の実施の形態では、弾球遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【００１１】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１２】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１３】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１４】
窓枠１３は前枠１２の前面に装着されている。この窓枠１３は前枠１２と一体となって、前記した軸を中心に回動可能となっており、この窓枠１３と前枠１２とで本発明の枠体を構成している。この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１５】
上述の遊技盤３０は、前枠１２の後面に装着されている。以下、この遊技盤３０及び遊技盤３０に備えられる各構成部材について図３を参照して詳細に説明する。図３は、本発明の実施の形態における遊技盤３０の正面図である。この遊技盤３０は、上述のように前枠１２の後面に装着されており、窓枠１３の透明板１７ａに前方から覆われている。
【００１６】
遊技板３１は、その板面（遊技盤３０の盤面）等に遊技盤３０の有する各構成部材を固定するための板である。ガイドレール３２は、この遊技板３１の前記透明板１７ａと対向する表面側の板面に固定されて、この遊技板３１上に、パチンコ球の発射通路３１ａと、発射されたパチンコ球が転動しながら流下する遊技領域３１ｂとを区画形成する。遊技盤３０における遊技領域３１ｂのほぼ中央部には、遊技板３１に貫設された開口部３８が形成されている。この開口部３８の周縁には、センター装飾部材４０が形成されている。また、開口部３８の下部を覆うように、後述するステージ１００が形成されている。
【００１７】
また、遊技領域３１ｂにおいては、遊技板３１に形成された開口部３８の周囲の少なくとも一部に、パチンコ球が転動しながら流下するようになっている。本実施の形態では、ガイドレール３２と開口部３８との間の領域で、開口部３８の上方から左方及び右下方までの領域にパチンコ球が流下するようになっている。
【００１８】
また、遊技領域３１ｂにおける遊技板３１の板面上には、パチンコ球の流下方向を変化させる複数の遊技釘（障害部材）３９が打ち込まれている。上述の打球槌が弾いたパチンコ球は、発射通路３１ａを通して遊技領域３１ｂ内に放出される。そして、遊技領域３１ｂに放出されたパチンコ球は、遊技釘３９に当たって転動しながら遊技領域３１ｂを流下し、最終的に何れかの入賞口又は遊技領域３１ｂの最下方に位置するアウト口３６に入るようになっている。
【００１９】
また、遊技板３１に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００２０】
また、遊技領域３１ｂ内において、演出表示装置３７の下方には、本発明の入賞口としての始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されており、開閉可能な一対の可動片３３ｘを備えている。始動入賞口３３は、可動片３３ｘが閉塞されているときには開口面積が小さくなってパチンコ球が入賞し難くなり、可動片３３ｘが開放されているときには開口面積が大きくなってパチンコ球が入賞し易くなる。
【００２１】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２２】
また、遊技領域３１ｂの所定位置（本実施の形態では、開口部３８の周縁に装着されたセンター装飾部材４０の左側方）にはワープ通路９０が設けられており、遊技領域３１ｂにおけるパチンコ球が流下する途中（本実施の形態では、開口部３８の周縁に装着されたセンター装飾部材４０の左側方の上部）にワープ通路９０の球入口９１が形成されており、また、遊技領域３１ｂにおけるステージ１００付近（本実施の形態では、開口部３８の周縁に装着されたセンター装飾部材４０の左側方の下部でステージ１００に繋がる位置）にワープ通路９０の球出口９２が形成されている。そして、本実施の形態では、遊技領域３１ｂに転動するパチンコ球が、球入口９１からワープ通路９０に入り、当該ワープ通路９０内を通って、球出口９２から放出されることで、パチンコ球がステージ１００に誘導されるようになっている。
【００２３】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２４】
以下、本実施の形態におけるステージ１００について図４〜図１３を参照して詳細に説明する。図４は、本発明の実施の形態におけるパチンコ遊技機のステージの斜視図であり、図５は、同パチンコ遊技機のステージの正面図であり、図６は、同パチンコ遊技機のステージの平面図であり、図７は、同パチンコ遊技機のステージの右側面図であり、図８は、図５のＡ−Ａ断面図である。また、図９は、本発明の実施の形態におけるパチンコ遊技機のステージから上段ステージとステージ間連絡部材を取り外した状態の斜視図であり、図１０は、同パチンコ遊技機のステージから上段ステージとステージ間連絡部材を取り外した状態の正面図であり、図１１は、同パチンコ遊技機のステージから上段ステージとステージ間連絡部材を取り外した状態の平面図であり、図１２は、同パチンコ遊技機のステージから上段ステージとステージ間連絡部材を取り外した状態の右側面図であり、図１３は、図１０のＢ−Ｂ断面図である。
【００２５】
本実施の形態におけるステージ１００は、図３に示すように、センター装飾部材４０の下部に配設され、本発明の入賞口としての始動入賞口３３の上方に配設されており、パチンコ球を始動入賞口３３に入賞し易い方向に誘導したり始動入賞口３３に入賞し難い方向に誘導したりする誘導手段が設けられたものである。
【００２６】
また、前記ステージ１００は、図７及び図８に示すように、遊技板３１の板面からみて遊技球１個分以上２個分未満後方位置までのスペースＳに配置されており、かつ、上段ステージ１１０と下段ステージ１２０の２層構造に形成されており、より詳しくは、上段ステージ１１０、下段ステージ１２０及びステージ間連絡部材１３０を有した構成となっている。以下、各部材について詳しく説明する。
【００２７】
上段ステージ１１０は、図４〜図８に示すように、下段ステージ１２０より上方位置で、かつ、下段ステージ１２０に平面視でほぼ重なる位置に形成されている。また、上段ステージ１１０は、ワープ通路９０の球出口９２の右側に連通するように設けられており、当該球出口９２から放出されて転がり込んだパチンコ球を転動させる略平面状（本実施の形態では、多少の起伏を有している）の上段転動面１１１を備えている。この上段転動面１１１は、演出表示装置３７の下部が後方に配置されている、センター装飾部材４０の下部に配設されており、演出表示装置３７の表示画面３７ａの下部を略覆う程度の左右幅に形成されている。また、上段転動面１１１の前後方向の幅は、上段転動面１１１の前後に形成された壁部１１１ａ，１１１ｂによってパチンコ球１個分以上２個分未満に形成されている。すなわち、この上段ステージ１１０の上段転動面１１１では、転動するパチンコ球が当該上段転動面１１１上ですれ違うことができない状態になっている。なお、本実施の形態では、上段転動面１１１の壁部１１１ａ，１１１ｂは、上段ステージ１１０の前方端部及び後方端部と同じ位置となっている。
【００２８】
また、この上段転動面１１１の前側には、図４及び図６に示すように、本発明の上段前方誘導手段，誘導手段としての上段誘導切欠部１１２が形成されている。この上段誘導切欠部１１２は、上段転動面１１１上に転動しているパチンコ球が前方の下方に落下することが可能となるように切り欠かれたように形成されており、また、パチンコ球が前方に転がり易いように前方に傾いた傾斜が付けられている。また、本実施の形態では、上段ステージ１１０の上段転動面１１１における中心部から見て左側と右側の２箇所に、上段誘導切欠部１１２が形成されている。また、本実施の形態では、上段転動面１１１が「Ｗ」の字を左右に延ばしたような緩い起伏が形成されており、前記した２箇所の上段誘導切欠部１１２は起伏のうちの２箇所の底部に形成されている。なお、このステージ１００は、その上段ステージ１１０の上段転動面１１１の前方の端部に形成された壁部１１１ａが、遊技板３１の板面と面一又は板面より前方に突出して形成されており、本実施の形態では、壁部１１１ａが遊技板３１の板面と略面一となるように配置されている。
【００２９】
また、この上段転動面１１１の左右方向の起伏の中央の頂部の後側には、図４及び図６に示すように、本発明の上段後方誘導手段，誘導手段としての上段誘導路１１３が形成されている。この上段誘導路１１３は、パチンコ球が１個通過可能に形成された略垂直の通路であり、ここに入ったパチンコ球は、ここと連通する下段誘導路（後述）１２２を介して、始動入賞口３３に入賞し易い位置に誘導されるようになっている。なお、本実施の形態では、上段誘導路１１３の前側の上段転動面１１１の一部（後側部分）は、前記した上段誘導切欠部１１２とは逆に、後方に傾いた傾斜が付けられており、ここに乗ったパチンコ球が後方の上段誘導路１１３に転がり易くなるようになっている。
【００３０】
下段ステージ１２０は、図９〜図１３に示すように、その前方端部１２１ａが遊技板３１の板面と面一又は板面より後方となるように形成されており、上段ステージ１１０よりも下方でかつ平面視にて前後方向が上段ステージ１１０にほぼ重なる位置に配置されており、転がり込んだパチンコ球を転動させる略平面状（本実施の形態では、多少の起伏を有している）の下段転動面１２１を備えている。この下段転動面１２１は、上段転動面１１１よりも若干左右幅が小さく形成されている。また、下段転動面１２１の前後方向の幅は、下段転動面１２１の前後に形成された壁部１２１ａ，１２１ｂによってパチンコ球１個分以上２個分未満に形成されている。すなわち、この下段ステージ１２０の下段転動面１２１では、上段転動面１１１と同様に、転動するパチンコ球が当該下段転動面１２１上ですれ違うことができない状態になっている。なお、本実施の形態では、下段転動面１２１の壁部１２１ａ，１２１ｂは、下段ステージ１２０の前方端部及び後方端部と同じ位置となっている。
【００３１】
また、この下段転動面１２１の前側には、図９及び図１１に示すように、本発明の下段前方誘導手段，誘導手段としての下段誘導切欠部１２３が形成されている。この下段誘導切欠部１２３は、下段転動面１２１上に転動しているパチンコ球が前方の下方に落下することが可能となるように切り欠かれたように形成されており、また、パチンコ球が前方に転がり易いように前方に傾いた傾斜が付けられている。また、本実施の形態では、下段ステージ１２０の下段転動面１２１における中心部から見て左側と右側の２箇所に、下段誘導切欠部１２３が形成されている。また、本実施の形態では、上段転動面１１１と同様に、下段転動面１２１が「Ｗ」の字を左右に延ばしたような緩い起伏が形成されており、前記した２箇所の下段誘導切欠部１２３は起伏のうちの２箇所の底部に形成されている。なお、このステージ１００は、その下段ステージ１２０の下段転動面１２１の前方の端部に形成された壁部１２１ａが、上段転動面１１１の前方の端部より平面視にて遊技球半個分以下のずれに収まるように重なる位置に形成されており、本実施の形態では、壁部１２１ａが遊技板３１の板面及び前記した上段ステージ１１０の上段転動面１１１の前方の端部に形成された壁部１１１ａと略面一、すなわち遊技板３１の板面と略面一となるように配置されている。
【００３２】
また、この下段転動面１２１の左右方向の起伏の中央の頂部の後側には、図９及び図１１に示すように、本発明の下段後方誘導手段，誘導手段としての下段誘導路１２２が形成されている。この下段誘導路１２２は、パチンコ球が１個通過可能に形成された略Ｌ字状の通路であり、ここに入ったパチンコ球は、下段転動面１２１の下側を後方から前方に抜けて、遊技板３１の板面における始動入賞口３３に入賞し易い位置に配置された誘導出口１２４に誘導されるようになっている。また、この下段誘導路１２２は、上方に上段誘導路１１３が形成されており、上段誘導路１１３から連通した構成となっている。なお、本実施の形態では、下段誘導路１２２の前側の下段転動面１２１の一部（後側部分）は、前記した下段誘導切欠部１２３とは逆に、後方に傾いた傾斜が付けられており、ここに乗ったパチンコ球が後方の下段誘導路１２２に転がり易くなるようになっている。
【００３３】
なお、本実施の形態では、前記した下段誘導路１２２と下段誘導切欠部１２３の双方で、パチンコ球（遊技球）を始動入賞口（入賞口）３３に入賞し易い方向に誘導したり始動入賞口（入賞口）３３に入賞し難い方向に誘導したりする本発明の下段後方誘導手段及び下段前方誘導手段を構成している。すなわち、下段誘導路１２２がパチンコ球（遊技球）を始動入賞口（入賞口）３３に入賞し易い方向に誘導する下段後方誘導手段であり、下段誘導切欠部１２３がパチンコ球（遊技球）を始動入賞口（入賞口）３３に入賞し難い方向に誘導する下段前方誘導手段である。
【００３４】
ステージ間連絡部材１３０は、図４〜図８に示すように、上下方向において上段ステージ１１０と下段ステージ１２０の間に配置されており、平面視にて下段ステージ１２０の前方端部１２１ａと透明板１７ａの間で、かつ、少なくとも一部が上段ステージ１１０及び下段ステージ１２０よりも前方に配置されている。また、このステージ間連絡部材１３０は、少なくとも上段ステージ１１０の上段誘導切欠部１１２から前方に落下したパチンコ球を受け止めて下段ステージ１２０の下段転動面１２１へ誘導することが可能なように、略平面状（本実施の形態では、左右端部から中央に向けて多少下方に傾斜している）でパチンコ球が１個は通過可能な前後方向の幅を有している。なお、本実施の形態では、前後方向の幅は、パチンコ球１個分以上２個分未満に形成されているが、スペースが許せばパチンコ球２個分以上の幅に形成されていても良い。また、本実施の形態では、図４及び図６に示すように、ステージ間連絡部材１３０の前方の端部に壁部１３３を有しており、ステージ間連絡部材１３０からは前方にパチンコ球が落下しないように構成されている。また、ステージ間連絡部材１３０の中央部には、図４及び図６に示すように、前後方向に延びる複数の溝部からなる誘導溝１３１及び下段ステージ１２０に連通する連通口１３２が形成されており、誘導溝１３１のうちの中央の溝部に乗ったパチンコ球は、下段ステージ１２０の下段転動面１２１を介して下段誘導路１２２に誘導され易くなっている。また、その他の溝部（本実施の形態では中央の溝部の左右に１つずつ形成された溝部）に乗ったパチンコ球は、下段ステージ１２０の下段転動面１２１を介して下段誘導路１２２からは外れて下段誘導切欠部１２３に誘導され易くなっている。
【００３５】
なお、前記したように、ステージ１００は、遊技板３１の板面からみて遊技球１個分以上２個分未満後方位置までのスペースＳに配置されているが、本実施の形態では、遊技板３１の板面と面一となっている上段ステージ１１０の前方端部である上段転動面１１１の前方の壁部１１１ａ及び下段ステージ１２０の前方端部である下段転動面１２１の前方の壁部１２１ａから、上段ステージ１１０の後方端部である上段転動面１１１の後方の壁部１１１ｂ及び下段ステージ１２０の後方端部である下段転動面１２１の後方の壁部１２１ｂまでがスペースＳの範囲に配置されている。
【００３６】
また、本実施の形態では、ステージ１００の後方位置の一部分のみに本発明におけるスペースＳ以上のスペースが存在していたため、当該位置を利用して、本発明の下段誘導手段，誘導手段としての下段誘導路１２２を、スペースＳの範囲を超えて後方に配置しているものである。
【００３７】
以上のように、本実施の形態のパチンコ遊技機（弾球遊技機）１０は、枠体（前枠１２及び窓枠１３）に設けられた透明板１７ａの後方に配置されて該透明板１７ａと対向する遊技板３１の板面に形成されたガイドレール３２によって区画形成され、発射されたパチンコ球（遊技球）が流下する遊技領域３１ｂに、パチンコ球（遊技球）が入賞する始動入賞口（入賞口）３３と、前記始動入賞口（入賞口）３３の上方に配設され、パチンコ球（遊技球）を前記始動入賞口（入賞口）３３に入賞し易い方向に誘導したり前記始動入賞口（入賞口）３３に入賞し難い方向に誘導したりする誘導手段を設けたステージ１００と、を有しており、前記ステージ１００は、前記遊技板３１の板面からみてパチンコ球（遊技球）１個分以上２個分未満後方位置までのスペースＳに配置されており、かつ、上段ステージ１１０と下段ステージ１２０の２層構造に形成されており、前記下段ステージ１２０は、その前方端部１２１ａが前記遊技板３１の板面と面一又は板面より後方となるように形成されており、転がり込んだパチンコ球（遊技球）を転動させる下段転動面１２１を備え、パチンコ球（遊技球）を前記下段転動面１２１の後方から前記下段転動面１２１の下側を通って前記始動入賞口（入賞口）３３に入賞し易い前方の誘導出口１２４に誘導する下段誘導路（下段後方誘導手段）１２２と、パチンコ球（遊技球）を前記下段転動面１２１の前方から前記始動入賞口（入賞口）３３に入賞し難い方向に誘導する下段誘導切欠部（下段前方誘導手段）１２３を備えており、前記上段ステージ１１０は、前記下段ステージ１２０より上方位置で、かつ、前記下段ステージ１２０に平面視で重なる位置に形成されており、転がり込んだパチンコ球（遊技球）を転動させる上段転動面１１１を備え、パチンコ球（遊技球）を前記上段転動面１１１の後方から前記下段誘導路（下段後方誘導手段）１２２を通って前記始動入賞口（入賞口）３３に入賞し易い前方の前記誘導出口１２４に誘導する上段誘導路（上段後方誘導手段）１１３と、パチンコ球（遊技球）を前記上段転動面１１１から前方に落下させる上段誘導切欠部（上段前方誘導手段）１１２を備えており、前記上段ステージ１１０と前記下段ステージ１２０の上下方向の間には、平面視で前記下段ステージ１２０の前方端部１２１ａと前記透明板１７ａの間で、かつ、前記上段ステージ１１０よりも前方に配置されており、前記上段ステージ１１０の前記上段誘導切欠部（上段前方誘導手段）１１２から前方に落下したパチンコ球（遊技球）を受け止めて前記下段ステージ１２０の前記下段転動面１２１へ誘導するステージ間連絡部材１３０を有しているパチンコ遊技機（弾球遊技機）１０としたことを特徴とする。
【００３８】
そして、本実施の形態のパチンコ遊技機（弾球遊技機）１０によれば、ステージ１００が、遊技板３１の板面からみてパチンコ球（遊技球）１個分以上２個分未満後方位置までのスペースＳに配置され、上段と下段の２層構造に形成されており、上段ステージ１１０が下段ステージ１２０に平面視で重なる位置に形成されており、上段ステージ１１０と下段ステージ１２０の間には、平面視で下段ステージ１２０の前方端部１２１ａと透明板１７ａの間で、かつ、上段ステージ１１０よりも前方に配置され、上段ステージ１１０から前方に落下したパチンコ球（遊技球）を受け止めて下段ステージ１２０へ誘導するステージ間連絡部材１３０を有していることで、ステージ１００自体及びステージ１００構成における前後方向の幅を狭く形成せざるを得ない場合でも、上段ステージ１１０と下段ステージ１２０の２層構造のステージ１００を形成することができ、しかも、上段ステージ１１０上及び上段ステージ１１０から下段ステージ１２０に誘導される際のパチンコ球（遊技球）の動きを単調でなく複雑で興趣のある動きにさせることができる。また、ステージ間連絡部材１３０が上段ステージ１１０及び下段ステージ１２０よりも前方に配置されている構造であるため、ステージ間連絡部材１３０を容易に設置することができる。
【００３９】
なお、以上説明した各実施の形態は、本発明の理解を容易にするために記載されたものであって、本発明を限定するために記載されたものではない。
【００４０】
例えば、前記した実施の形態では、弾球遊技機としてパチンコ遊技機を挙げて説明したが、本発明はこれに限るものではなく、アレンジボール等の他の弾球遊技機にも適用可能である。
【００４１】
また、前記した実施の形態では、入賞口に遊技球を誘導するステージとして、所謂始動入賞口３３にパチンコ球を誘導するステージ１００について説明してきたが、本発明におけるステージはこれに限るものではなく、所謂羽根物タイプのステージや、大入賞口に入賞後にパチンコ球を転動させるように構成されたステージ等、種々の入賞口に入賞した後のパチンコ球の動きを単調でなく複雑で興趣のある動きにさせることが目的の箇所にも適用することができる。
【００４２】
また、前記した実施の形態では、ステージ間連絡部材１３０は、その全部が上段ステージ１１０よりも前方に突出するように配置されていたが、本発明はこれに限るものではなく、上段ステージから下段ステージに遊技球を誘導可能な位置に配置されていれば、ステージ間連絡部材の後方の一部が上段ステージと重なっていて、ステージ間連絡部材の前方の一部が上段ステージから前方に突出するように配置されていても良い。
【００４３】
また、前記した実施の形態では、ステージ間連絡部材１３０は、上段ステージ１１０から落下してきた遊技球を全て下段ステージ１２０に誘導するようになっていたが、本発明はこれに限るものではなく、ステージ間連絡部材の一部に下段ステージには誘導されずに他の経路に誘導する手段（例えば、左右端部からステージ外の遊技領域に転がり出るように誘導する切欠部）等があっても良い。
【００４４】
また、前記した実施の形態では、ステージ間連絡部材１３０は１つの部材で構成されていたが、これに限るものではなく、本発明では、上段ステージ１１０と下段ステージ１２０を連絡する構成のものであれば、ステージ間連絡部材が複数に分かれて形成されていても良い。
【符号の説明】
【００４５】
１０…パチンコ遊技機（弾球遊技機）、１２…前枠（枠体）、１３…窓枠（枠体）、１７ａ…透明板、３１…遊技板、３１ｂ…遊技領域、３２…ガイドレール、３３…始動入賞口（入賞口）、３７…演出表示装置、３７ａ…表示画面、３８…開口部、３９…遊技釘（障害部材）、４０…センター装飾部材、９０…ワープ通路、９１…球入口、９２…球出口、１００…ステージ、１１０…上段ステージ、１１１…上段転動面、１１２…上段誘導切欠部（上段前方誘導手段，誘導手段）、１１３…上段誘導路（上段後方誘導手段，誘導手段）、１２０…下段ステージ、１２１…下段転動面、１２２…下段誘導路（下段後方誘導手段，誘導手段）、１２３…下段誘導切欠部（下段前方誘導手段，誘導手段）、１２４…誘導出口、１３０…ステージ間連絡部材
【図１】
0005545143.tif 000002
【図２】
0005545143.tif 000003
【図３】
0005545143.tif 000004
【図４】
0005545143.tif 000005
【図５】
0005545143.tif 000006
【図６】
0005545143.tif 000007
【図７】
0005545143.tif 000008
【図８】
0005545143.tif 000009
【図９】
0005545143.tif 000010
【図１０】
0005545143.tif 000011
【図１１】
0005545143.tif 000012
【図１２】
0005545143.tif 000013
【図１３】
0005545143.tif 000014